(57)【要約】
【課題】  簡便型ＵＳＢ末端装置の提供。
【解決手段】  ＵＳＢデータ処理回路、ディスプレイパネル及びキーボードを具え、該ＵＳＢデータ処理回路はディスプレイパネル及びキーボードに接続されると共に、ＵＳＢポートとＵＳＢ／ＶＧＡインタフェース変換装置を具え、該ＵＳＢポートがコンピュータのＵＳＢインタフェースポートに接続され、該キーボードより入力された命令とデータをコンピュータに伝送し、並びにコンピュータ内のアプリケーションプログラム、オペレーションシステム、マルチメディア及び表示画面データを共有し、且つコンピュータの表示画面データがコンピュータのＵＳＢインタフェースポートによりＵＳＢデータ処理回路のＵＳＢポートに送られ、さらに該ＵＳＢ／ＶＧＡインタフェース変換装置で変換されて対応するＶＧＡ表示画面信号とされてディスプレイパネルに送られ表示される。
【選択図】        図１
0003101204.tif 000002
【実用新案登録請求の範囲】
【請求項１】
ＵＳＢデータ処理回路、キーボード、及びディスプレイパネルを具え、
該ＵＳＢデータ処理回路は、ＵＳＢポートとＵＳＢ／ＶＧＡインタフェース変換装置を具え、該ＵＳＢポートがコンピュータのＵＳＢインタフェースポートに接続されて、制御命令及びデータをコンピュータに伝送してコンピュータに実行させるか或いはコンピュータの送るＵＳＢパケット形態の共有データ、表示画面データを受け取り、並びに該ＵＳＢパケット形態の画面表示データをＵＳＢ／ＶＧＡインタフェース変換装置で変換してＶＧＡ画面表示信号となして出力し、
該キーボードは、ＵＳＢデータ処理回路に接続されて制御命令とデータを入力してＵＳＢデータ処理回路に伝送し、
該ディスプレイパネルは、キーボードと一体に結合され、該ディスプレイパネルはＵＳＢデータ処理回路のＵＳＢ／ＶＧＡインタフェース変換装置に接続されてＵＳＢ／ＶＧＡインタフェース変換装置の出力するＶＧＡ画面表示信号を受け取り画面表示することを特徴とする、簡便型ＵＳＢ末端装置。
【請求項２】
請求項１記載の簡便型ＵＳＢ末端装置において、ＵＳＢデータ処理回路のＵＳＢ／ＶＧＡインタフェース変換装置が少なくとも一つのＵＳＢコントローラ、ブリッジ、ＶＧＡコントローラを具え、
該ＵＳＢコントローラは、ＵＳＢデータ処理回路のＵＳＢポートに接続されてコンピュータの送るＵＳＢパケット形態の画面表示データを受け取り並びにＵＳＢパケット形態の表示画面データ及びバス制御命令を出力し、
該ブリッジは、ＵＳＢコントローラに接続され、並びにＵＳＢコントローラの伝送するバス制御命令を受け取り、ＦＩＦＯ方式でＵＳＢコントローラの伝送するＵＳＢパケット形態の表示画面データを対応するＶＧＡ画面表示信号に変換して出力し、
該ＶＧＡコントローラは、ブリッジ及びディスプレイパネルに接続され、ブリッジの出力するＶＧＡ画面表示信号を受け取り、更に該ＶＧＡ画面表示信号をディスプレイパネルに出力することを特徴とする、簡便型ＵＳＢ末端装置。
【請求項３】
請求項１記載の簡便型ＵＳＢ末端装置において、ＵＳＢデータ処理回路がＵＳＢサウンドコントローラを具え、該ＵＳＢサウンドコントローラが音声入力装置と音声出力装置に接続されたことを特徴とする、簡便型ＵＳＢ末端装置。
【請求項４】
請求項３記載の簡便型ＵＳＢ末端装置において、ＵＳＢサウンドコントローラに接続された音声入力装置がマイクロホンとされたことを特徴とする、簡便型ＵＳＢ末端装置。
【請求項５】
請求項３記載の簡便型ＵＳＢ末端装置において、ＵＳＢサウンドコントローラに接続された音声出力装置がスピーカとされたことを特徴とする、簡便型ＵＳＢ末端装置。
【請求項６】
請求項１記載の簡便型ＵＳＢ末端装置において、ＵＳＢデータ処理回路がマウスポートを具え、該マウスポートにＵＳＢマウスが接続されたことを特徴とする、簡便型ＵＳＢ末端装置。
【請求項７】
請求項１記載の簡便型ＵＳＢ末端装置において、ＵＳＢデータ処理回路が通信インタフェースを具え、該通信インタフェースにＵＳＢモデムが接続されたことを特徴とする、簡便型ＵＳＢ末端装置。
【請求項８】
請求項１記載の簡便型ＵＳＢ末端装置において、ＵＳＢデータ処理回路が第２の通信インタフェース形態とＵＳＢ間とのインタフェース変換装置を具え、この第２の通信インタフェース形態とＵＳＢ間とのインタフェース変換装置が第２の通信インタフェース形態に対応するポートに接続されたことを特徴とする、簡便型ＵＳＢ末端装置。
【請求項９】
請求項１記載の簡便型ＵＳＢ末端装置において、ディスプレイパネルが液晶ディスプレイパネルとされたことを特徴とする、簡便型ＵＳＢ末端装置。
【考案の詳細な説明】
【技術分野】
【０００１】
本考案は一種の簡便型ＵＳＢ末端装置に係り、特にコンピュータデータの共有及び単一ＵＳＢインタフェースポートでコンピュータに接続されてコンピュータデータを送り画面を表示する末端装置に関する。
【背景技術】
【０００２】
周知のコンピュータネットワークシステムは、複数のコンピュータをネットワーク方式で接続し、周知のコンピュータネットワークのリアルタイム接続システムにあっては、各使用者が一台のコンピュータとネットワーク設備を保有しなければネットワークを共有してリアルタイム表示画面或いはアプリケーションプログラムを使用することができず、ネットワーク必要量が膨大であるネットカフェや証券業者にとっては相当に高い設備コストと取り付けコストがかかり、且つ取り付け上もおおくのコンピュータ設置空間が必要で、産業上の利用における経済的なメリットがない。
【考案の開示】
【考案が解決しようとする課題】
【０００３】
本考案の主要な目的は、一種の簡便型ＵＳＢ末端装置を提供することにあり、それは、ＵＳＢデータ処理回路、キーボード及びディスプレイパネルを具え、ＵＳＢデータ処理回路によりキーボードとディスプレイパネルが連結され、並びにＵＳＢデータ処理回路にコンピュータＵＳＢインタフェースポートが接続され、キーボードに入力された制御命令をコンピュータに伝送し、或いはコンピュータアプリケーションプログラムを受信、共有し、或いはリアルタイム表示画面データをディスプレイパネルに提供することができ、大幅に設備コストが及び取り付け時間を減らすことができる。
【０００４】
本考案のもう一つの目的は、一種の簡便型ＵＳＢ末端装置を提供することにあり、それは、該ＵＳＢデータ処理回路がＵＳＢポートとＵＳＢ／ＶＧＡインタフェース変換装置を具え、ＵＳＢポートが単線でコンピュータに接続されてリアルタイム表示画面データを受け取り、さらにＵＳＢ／ＶＧＡインタフェース変換装置でＶＧＡ表示画面信号に変換してディスプレイパネルに提供し表示できるものとする。
【課題を解決するための手段】
【０００５】
請求項１の考案は、ＵＳＢデータ処理回路、キーボード、及びディスプレイパネルを具え、
該ＵＳＢデータ処理回路は、ＵＳＢポートとＵＳＢ／ＶＧＡインタフェース変換装置を具え、該ＵＳＢポートがコンピュータのＵＳＢインタフェースポートに接続されて、制御命令及びデータをコンピュータに伝送してコンピュータに実行させるか或いはコンピュータの送るＵＳＢパケット形態の共有データ、表示画面データを受け取り、並びに該ＵＳＢパケット形態の画面表示データをＵＳＢ／ＶＧＡインタフェース変換装置で変換してＶＧＡ画面表示信号となして出力し、
該キーボードは、ＵＳＢデータ処理回路に接続されて制御命令とデータを入力してＵＳＢデータ処理回路に伝送し、
該ディスプレイパネルは、キーボードと一体に結合され、該ディスプレイパネルはＵＳＢデータ処理回路のＵＳＢ／ＶＧＡインタフェース変換装置に接続されてＵＳＢ／ＶＧＡインタフェース変換装置の出力するＶＧＡ画面表示信号を受け取り画面表示することを特徴とする、簡便型ＵＳＢ末端装置としている。
請求項２の考案は、請求項１記載の簡便型ＵＳＢ末端装置において、ＵＳＢデータ処理回路のＵＳＢ／ＶＧＡインタフェース変換装置が少なくとも一つのＵＳＢコントローラ、ブリッジ、ＶＧＡコントローラを具え、
該ＵＳＢコントローラは、ＵＳＢデータ処理回路のＵＳＢポートに接続されてコンピュータの送るＵＳＢパケット形態の画面表示データを受け取り並びにＵＳＢパケット形態の表示画面データ及びバス制御命令を出力し、
該ブリッジは、ＵＳＢコントローラに接続され、並びにＵＳＢコントローラの伝送するバス制御命令を受け取り、ＦＩＦＯ方式でＵＳＢコントローラの伝送するＵＳＢパケット形態の表示画面データを対応するＶＧＡ画面表示信号に変換して出力し、
該ＶＧＡコントローラは、ブリッジ及びディスプレイパネルに接続され、ブリッジの出力するＶＧＡ画面表示信号を受け取り、更に該ＶＧＡ画面表示信号をディスプレイパネルに出力することを特徴とする、簡便型ＵＳＢ末端装置としている。
請求項３の考案は、請求項１記載の簡便型ＵＳＢ末端装置において、ＵＳＢデータ処理回路がＵＳＢサウンドコントローラを具え、該ＵＳＢサウンドコントローラが音声入力装置と音声出力装置に接続されたことを特徴とする、簡便型ＵＳＢ末端装置としている。
請求項４の考案は、請求項３記載の簡便型ＵＳＢ末端装置において、ＵＳＢサウンドコントローラに接続された音声入力装置がマイクロホンとされたことを特徴とする、簡便型ＵＳＢ末端装置としている。
請求項５の考案は、請求項３記載の簡便型ＵＳＢ末端装置において、ＵＳＢサウンドコントローラに接続された音声出力装置がスピーカとされたことを特徴とする、簡便型ＵＳＢ末端装置としている。
請求項６の考案は、請求項１記載の簡便型ＵＳＢ末端装置において、ＵＳＢデータ処理回路がマウスポートを具え、該マウスポートにＵＳＢマウスが接続されたことを特徴とする、簡便型ＵＳＢ末端装置としている。
請求項７の考案は、請求項１記載の簡便型ＵＳＢ末端装置において、ＵＳＢデータ処理回路が通信インタフェースを具え、該通信インタフェースにＵＳＢモデムが接続されたことを特徴とする、簡便型ＵＳＢ末端装置としている。
請求項８の考案は、請求項１記載の簡便型ＵＳＢ末端装置において、ＵＳＢデータ処理回路が第２の通信インタフェース形態とＵＳＢ間とのインタフェース変換装置を具え、この第２の通信インタフェース形態とＵＳＢ間とのインタフェース変換装置が第２の通信インタフェース形態に対応するポートに接続されたことを特徴とする、簡便型ＵＳＢ末端装置としている。
請求項９の考案は、請求項１記載の簡便型ＵＳＢ末端装置において、ディスプレイパネルが液晶ディスプレイパネルとされたことを特徴とする、簡便型ＵＳＢ末端装置としている。
【考案の効果】
【０００６】
本考案簡便型ＵＳＢ末端装置は、ＵＳＢデータ処理回路、キーボード及びディスプレイパネルを具え、ＵＳＢデータ処理回路によりキーボードとディスプレイパネルが連結され、並びにＵＳＢデータ処理回路にコンピュータＵＳＢインタフェースポートが接続され、キーボードに入力された制御命令をコンピュータに伝送し、或いはコンピュータアプリケーションプログラムを受信、共有し、或いはリアルタイム表示画面データをディスプレイパネルに提供することができ、大幅に設備コストが及び取り付け時間を減らすことができる。
【０００７】
本考案の簡便型ＵＳＢ末端装置は、該ＵＳＢデータ処理回路がＵＳＢポートとＵＳＢ／ＶＧＡインタフェース変換装置を具え、ＵＳＢポートが単線でコンピュータに接続されてリアルタイム表示画面データを受け取り、さらにＵＳＢ／ＶＧＡインタフェース変換装置でＶＧＡ表示画面信号に変換してディスプレイパネルに提供し表示できる。
【考案を実施するための最良の形態】
【０００８】
本考案の簡便型ＵＳＢ末端装置は、ＵＳＢデータ処理回路、ディスプレイパネル及びキーボードを具え、該ＵＳＢデータ処理回路はディスプレイパネル及びキーボードに接続されると共に、ＵＳＢポートとＵＳＢ／ＶＧＡインタフェース変換装置を具え、該ＵＳＢポートがコンピュータのＵＳＢインタフェースポートに接続され、該キーボードより入力された命令とデータをコンピュータに伝送し、並びにコンピュータ内のアプリケーションプログラム、オペレーションシステム、マルチメディア及び表示画面データを共有し、且つコンピュータの表示画面データをコンピュータのＵＳＢインタフェースポートによりＵＳＢデータ処理回路のＵＳＢポートに送り、さらに該ＵＳＢ／ＶＧＡインタフェース変換装置で変換して対応するＶＧＡ表示画面信号となしてディスプレイパネルに送り表示することができる。これにより単線及び単一連結インタフェースを持てコンピュータ共有データとリアルタイム表示画面データに接続できる機能を達成する。
【実施例１】
【０００９】
図１は本考案の第１実施例のシステムブロック図である。本考案の簡便型ＵＳＢ末端装置１００は、ＵＳＢデータ処理回路１０、キーボード２０及びディスプレイパネル３０を具えている。該ＵＳＢデータ処理回路１０はキーボード２０とディスプレイパネル３０に接続されている。そのうち、該ＵＳＢデータ処理回路１０はＵＳＢポート１１とＵＳＢ／ＶＧＡインタフェース変換装置１２を具え、該ＵＳＢポート１１によりコンピュータ２００中の一つのＵＳＢインタフェースポート２１０に接続され、該ＵＳＢデータ処理回路１０によりキーボード２０より入力されたデータ或いは命令がＵＳＢポート１１を介してコンピュータ２００に送られ、これによりコンピュータ２００内の各アプリケーションプログラムを操作使用することができ、或いはコンピュータ２００により共有データ及び表示画面データをＵＳＢデータ処理回路１０に送り暫時保存及び処理し、さらにＵＳＢ／ＶＧＡインタフェース変換装置１２によりＶＧＡ画面表示信号Ｓに変換してディスプレイパネル３０に出力することができる。
【００１０】
上述のキーボード２０とディスプレイパネル３０は一体に組み合わされ、且つキーボード２０がＵＳＢデータ処理回路１０に接続され、キーボード２０の入力したデータ或いは命令が先にＵＳＢデータ処理回路１０に送られ処理される。
【００１１】
上述のディスプレイパネル３０の形式に制限はなく、本考案に列挙される実施例では液晶ディスプレイパネルとされ、該ディスプレイパネル３０はＵＳＢデータ処理回路１０に接続されてＵＳＢデータ処理回路１０の伝送するＶＧＡ画面表示信号Ｓを受け取り、コンピュータ２００のアプリケーションプログラムに対応する実行画面を表示する。
【００１２】
図２も参照されたい。上述のＵＳＢ／ＶＧＡインタフェース変換装置１２はＵＳＢコントローラ１２１、ＶＧＡコントローラ１２２、及びブリッジ１２３を具えている。該ＵＳＢコントローラ１２１は上述のＵＳＢポート１１に接続され、さらにＵＳＢポート１１によりコンピュータ２００のＵＳＢインタフェースポート２１０に接続され、コンピュータ２００の伝送するＵＳＢパケット形態の表示画面データを受け取る。該ＵＳＢコントローラ１２１は並びにブリッジ１２３に向けてバス制御命令ＢＳを発送する。
【００１３】
該ＶＧＡコントローラ１２２は上述のディスプレイパネル３０に接続され、該ブリッジ１２３はＵＳＢコントローラ１２１とＶＧＡコントローラ１２２の間に接続され、ＵＳＢコントローラ１２１がＦＩＦＯ方式でブリッジ１２３に向けてバス制御命令ＢＳを送出し、コンピュータ２００から受け取ったＵＳＢパケット形態の表示画面データを変換して対応するＶＧＡ画面表示信号Ｓに変換してディスプレイパネル３０に送り、これによりディスプレイパネル３０が画面表示作業を行なう。
【００１４】
さらに図３は本考案の本考案の簡便型ＵＳＢ末端装置とコンピュータ間で実行する動作フローチャートであり、ステップ３００〜３７０を具えている。そのうち、
（３００）  コンピュータ中にマルチメディアユーザー管理プログラム（ＭＵＬＴＩ−ＭＥＤＩＡ  ＵＳＥＲ  ＡＰ）をインストールする。即ちコンピュータ２００中に予めマルチメディアユーザー管理プログラムをインストールし、このプログラムは複数の使用者にコンピュータ２００内のアプリケーションプログラムを共有させる。このアプリケーションプログラムは本考案の請求範囲の重点ではないため、詳しい説明は省略する。
（３１０）  マルチメディアユーザー管理プログラムを起動
（３２０）  コンピュータが各簡便型ＵＳＢ末端装置を検出。即ち、コンピュータ２００がＵＳＢインタフェースポート２１０を通じて簡便型ＵＳＢ末端装置１００が接続されているか否かを検出する。
（３３０）  各簡便型ＵＳＢ末端装置に対応するユーザー身分及びコードを設定。即ち、コンピュータ２００内のマルチメディアユーザー管理プログラムによりコンピュータ２００の各ＵＳＢインタフェースポート２１０に接続された簡便型ＵＳＢ末端装置１００に対してユーザー身分とコードを設定する。
（３４０）  簡便型ＵＳＢ末端装置のキーボードとディスプレイパネル機能起動。
（３５０）  簡便型ＵＳＢ末端装置がコンピュータにアプリケーションプログラム実行の命令を下達。
（３６０）  コンピュータ共有データ或いはＵＳＢパケット形態の表示画面データを各簡便型ＵＳＢ末端装置に伝送。
（３７０）  各簡便型ＵＳＢ末端装置が対応する実行画面を表示。
即ち、上述のステップ３００〜３７０を実行後、本考案の簡便型ＵＳＢ末端装置１００がコンピュータ２００に対してアプリケーションプログラムとデータの共有操作を行なうことができるものとされ、並びに各簡便型ＵＳＢ末端装置１００のディスプレイパネル３０に操作画面を表示できる。
【実施例２】
【００１５】
図４は本考案の簡便型ＵＳＢ末端装置１００の第２実施例を示す。そのうち、ＵＳＢデータ処理回路１０はさらにＵＳＢサウンドコントローラ１３、マウスポート１４及び通信インタフェース１５を具えている。該ＵＳＢサウンドコントローラ１３は音声入力装置１３１と音声出力装置１３２に接続され、該音声入力装置１３１の形式に制限はなく、音源の入力設備とされ得て、例えば、マイクロホン或いはＣＤドライブの音源出力装置とされ得て、外部音源信号を入力してＵＳＢサウンドコントローラ１３に提供し、ＵＳＢサウンドコントローラ１３はこの入力音源信号をＵＳＢデータ処理回路１０のＵＳＢポート１１を介してコンピュータ２００のアプリケーションプログラムに伝送し処理に供する。
【００１６】
上述の音声出力装置１３２の形式に制限はないが、本実施例ではスピーカとされ、サウンドデータはコンピュータ２００のアプリケーションプログラムを通して送出され、ＵＳＢデータ処理回路１０及びＵＳＢサウンドコントローラ１３の処理後にさらに該音声出力装置１３２により出力される。
【００１７】
上述のマウスポート１４にはＵＳＢマウス１４１が接続され、ＵＳＢマウス１４１の操作を通じて、カーソル移動信号ＵＳＢデータ処理回路１０を通じてコンピュータ２００に伝送され、コンピュータ２００のアプリケーションプログラムが対応するカーソル移動、クリックの操作を実行する。
【００１８】
上述の通信インタフェース１５は、外向きにＵＳＢモデム１５１に接続され、ＵＳＢモデム１５１を通してネットワークに接続されて情報を取得し、並びに上述のＵＳＢデータ処理回路１０を通じてコンピュータ２００に伝送し、該通信インタフェース１５及びＵＳＢモデム１５１の駆動は、コンピュータ２００のアプリケーションプログラムによりＵＳＢデータ処理回路１０を通じて行なわれる。
【００１９】
図４に示される本考案の簡便型ＵＳＢ末端装置１００の実施例の説明により、本考案の簡便型ＵＳＢ末端装置１００は、コンピュータ２００のアプリケーションプログラム或いは資源を供給操作できるだけでなく、アプリケーションプログラムに組み合わせてサウンド入力、出力、マウスカーソル制御及びネットワーク連結のマルチメディアアプリケーション機能を発生することが分かる。
【実施例３】
【００２０】
さらに図５は本考案の簡便型ＵＳＢ末端装置１００の第３実施例を示す。そのうち、ＵＳＢデータ処理回路１０は更にＰＳ２（登録商標）／ＵＳＢインタフェース変換回路１６を具え、該ＰＳ２（登録商標）／ＵＳＢインタフェース変換回路１６はＰＳ２（登録商標）ポート１６１に接続され、該ＰＳ２（登録商標）ポート１６１はＰＳ２（登録商標）マウス１６２に接続され、ＰＳ２（登録商標）マウス１６２のカーソル操作信号及び命令は、ＰＳ２（登録商標）／ＵＳＢインタフェース変換回路１６によりＵＳＢ信号に変換され、並びにＵＳＢデータ処理回路１０を通じてコンピュータ２００に伝送される。上述のキーボード２０がＰＳ２（登録商標）形式とされる場合も、図５と同様に、まずＰＳ２（登録商標）／ＵＳＢインタフェース変換回路１６に接続されて変換後にコンピュータ２００に伝送され、この図５の第３実施例の説明から、明らかに本考案の簡便型ＵＳＢ末端装置１００が異なる形式のキーボード２０或いはＰＳ２（登録商標）マウス１６２に操作できることが分かる。
【実施例４】
【００２１】
図６は本考案の簡便型ＵＳＢ末端装置１００の実際の応用上の好ましい応用例を示す本考案の第４実施例図であり、コンピュータ２００が本考案の複数の簡便型ＵＳＢ末端装置１００に外接された応用形態であり、異なる使用者が各簡便型ＵＳＢ末端装置１００上でコンピュータ２００上の各アプリケーションプログラムを共有できる。そのうち、コンピュータ２００はＵＳＢケーブル２２０でＵＳＢハブ４００に接続され、該ＵＳＢハブ４００は複数のＵＳＢインタフェースポート４１０を具え、それぞれＵＳＢケーブル２３０で各簡便型ＵＳＢ末端装置１００のＵＳＢデータ処理回路のＵＳＢポート１１に接続されている。
【００２２】
上述の図６に示される本考案の簡便型ＵＳＢ末端装置１００とコンピュータ２００間はＵＳＢハブ４００を介した方式で接続されるが、これは本考案の唯一の応用方式ではなく、コンピュータ２００のＵＳＢインタフェースポート２１０の数量の許可及び接続される簡便型ＵＳＢ末端装置１００の数量が多くない状況では、該簡便型ＵＳＢ末端装置１００は必ずしもＵＳＢハブ４００を介する必要はなく、直接コンピュータ２００のＵＳＢインタフェースポート２１０に接続されうる。
【００２３】
以上の図６に示される応用例の実施により、各簡便型ＵＳＢ末端装置１００は簡単に単一のＵＳＢケーブル２３０でＵＳＢハブ４００を介してコンピュータ２００に接続されるか或いは直接コンピュータ２００に接続され、使用者にサウンド、表示、カーソル制御及びネットワーク接続等のマルチメディア機能を共有させることができ、大量のコンピュータ機器コスト、ネットワーク架設コスト及びコンピュータ設置空間を使用する必要がない。ゆえに本考案は極めてネットワークゲームソフトの共有操作及びリアルタイム証券金融オンライン検索操作の場面に適合し、大幅にその操作コスト上のメリットと使用効果を増すことができ、産業上の利用価値と高度な技術思想を利用した考案であるといえる。
【００２４】
本考案は最も簡便で有効な構造により、複数の簡易な末端装置をコンピュータと接続し、並びにコンピュータ内のアプリケーションプログラム或いは資源を共有操作でき、また、単一のＵＳＢケーブルによる接続を介して、ＵＳＢインタフェースの高速及びブロードバンドのデータ伝送が行なえ、末端装置の操作効果を高めることができ、並びに大幅に末端装置設備のコストと取り付け空間を減らすことができる。
【００２５】
以上の図１から図６に示される本考案の簡便型ＵＳＢ末端装置の説明及び図面は本考案の技術内容と技術手段を説明するために提示されたものであり、本考案の実施範囲を限定するものではなく、本考案に基づきなしうる細部の修飾或いは改変は、いずれも本考案の請求範囲に属するものとする。
【図面の簡単な説明】
【００２６】
【図１】本考案の第１実施例のシステムブロック図である。
【図２】本考案中のＵＳＢ／ＶＧＡインタフェース変換装置の回路ブロック図である。
【図３】本考案の簡便型ＵＳＢ末端装置とコンピュータ間で実行する動作フローチャートである。
【図４】本考案の第２実施例図である。
【図５】本考案の簡便型ＵＳＢ末端装置の第３実施例図である。
【図６】本考案の簡便型ＵＳＢ末端装置の好ましい応用例を示す本考案の第４実施例図である。
【符号の説明】
【００２７】
１００  簡便型ＵＳＢ末端装置
１０  ＵＳＢデータ処理回路
１１  ＵＳＢポート
１２  ＵＳＢ／ＶＧＡインタフェース変換装置
１２１  ＵＳＢコントローラ
１２２  ＶＧＡコントローラ
１２３  ブリッジ
１３  ＵＳＢサウンドコントローラ
１３１  音声入力装置
１３２  音声出力装置
１４  マウスポート
１４１  ＵＳＢマウス
１５  通信インタフェース
１５１  ＵＳＢモデム
１６  ＰＳ２（登録商標）／ＵＳＢインタフェース変換回路
１６１  ＰＳ２（登録商標）ポート
１６２  ＰＳ２（登録商標）マウス
２０  キーボード
３０  ディスプレイパネル
２００  コンピュータ
２１０  ＵＳＢインタフェースポート
２２０  ＵＳＢケーブル
２３０  ＵＳＢケーブル
４００  ＵＳＢハブ
４１０  ＵＳＢインタフェースポート
Ｓ  ＶＧＡ画面表示信号
ＢＳ  バス制御命令
３００  コンピュータ中にマルチメディアユーザー管理プログラムをインストール
３１０  マルチメディアユーザー管理プログラムを起動
３２０  コンピュータが各簡便型ＵＳＢ末端装置を検出
３３０  各簡便型ＵＳＢ末端装置に対応するユーザー身分及びコードを設定
３４０  簡便型ＵＳＢ末端装置のキーボードとディスプレイパネル機能起動
３５０  簡便型ＵＳＢ末端装置がコンピュータにアプリケーションプログラム実行の命令を下達
３６０  コンピュータ共有データ或いはＵＳＢパケット形態の表示画面データを各簡便型ＵＳＢ末端装置に伝送
３７０  各簡便型ＵＳＢ末端装置が対応する実行画面を表示
【図１】
0003101204.tif 000003
【図２】
0003101204.tif 000004
【図３】
0003101204.tif 000005
【図４】
0003101204.tif 000006
【図５】
0003101204.tif 000007
【図６】
0003101204.tif 000008